【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】  電子カードを管理する電子カード管理装置であって；
前記電子カード管理装置によって管理される第１の電子カードに保存された該第１の電子カードの利用者の情報を読み取るとともに、前記第１の電子カードの置かれた状況を反映する情報を該第１の電子カードに書き込むリードライト部と；
前記読み取られた情報に基づいて、所定の情報を表示する表示部と；
前記読み取り動作と、前記書き込み動作と、前記表示動作とを制御する制御部とを備え；
前記リードライト部は、管理情報または保守情報が保存された第２の電子カードの前記管理情報または保守情報を読み取り、且つ前記電子カード管理装置側に保存された管理情報または保守情報を前記第２の電子カードに書き込むように構成された；
電子カード管理装置。
【請求項２】  前記リードライト部の読み取りと書き込みとが非接触で行われるように構成された、請求項１に記載の電子カード管理装置。
【請求項３】  第１の電子カードから、該第１の電子カードに保存された該第１の電子カードの利用者の情報を非接触で読み取るとともに、前記第１の電子カードの置かれた状況を反映する情報を該第１の電子カードに非接触で書き込む工程と；
前記読み取られた情報に基づいて、所定の情報を表示する工程と；
前記読み取り動作と、前記書き込み動作と、前記表示動作を制御する工程と；
管理情報または保守情報が保存された第２の電子カードの前記管理情報または保守情報を非接触で読み取り、且つ管理情報または保守情報を前記第２の電子カードに非接触で書き込む工程とを備える；
電子カード管理方法。
【請求項４】  電子乗車券、及び管理カードを管理する電子カード管理装置であって；
前記電子カード管理装置によって管理される電子乗車券に保存された入場情報と、乗降区間情報とを読み取るとともに、精算が必要な場合に、精算が済んだ旨の情報を前記電子乗車券に書き込むリードライト部と；
前記読み取られた乗降区間情報に基づいて、精算が必要な場合に精算料金を表示する表示部と；
前記読み取り動作と、前記書き込み動作と、前記表示動作とを制御する制御部とを備え；
前記リードライト部は、前記管理カードに保存された管理者の識別情報を読み取り、且つ前記電子カード管理装置側に保存された鉄道利用者の利用情報を前記管理カードに書き込むよう構成された；
電子カード管理装置。
【請求項５】  電子乗車券、及び管理カードを管理する電子カード管理装置であって；
前記電子カード管理装置によって管理される電子乗車券に保存された乗降区間情報を読み取るとともに、入場情報を前記電子乗車券に書き込むリードライト部と；
前記読み取られた乗降区間情報に基づいて、料金の先引きが必要な場合、先引き料金を表示する表示部と；
前記読み取り動作と、前記書き込み動作と、前記表示動作とを制御する制御部とを備え；
前記リードライト部は、前記管理カードに保存された管理者の識別情報を読み取り、且つ前記電子カード管理装置側に保存された鉄道利用者の利用情報を前記管理カードに書き込むよう構成された；
電子カード管理装置。
【請求項６】  前記リードライト部が、入場情報を前記電子乗車券に書き込み；
前記表示部が、前記読み取られた乗降区間情報に基づいて、料金の先引きが必要な場合、先引き料金を表示する；
請求項４に記載の電子カード管理装置。
【手続補正２】
【補正対象書類名】明細書
【補正対象項目名】０００７
【補正方法】変更
【補正の内容】
【０００７】
【課題を解決するための手段】
上記目的を達成するために、請求項１に係る発明による電子カード管理装置は、図１（Ａ）に示すように、電子カードを管理する電子カード管理装置であって；前記電子カード管理装置によって管理される第１の電子カード１に保存された該第１の電子カード１の利用者の情報を読み取るとともに、第１の電子カード１の置かれた状況を反映する情報を該第１の電子カード１に書き込むリードライト部７と；前記読み取られた情報に基づいて、所定の情報を表示する表示部５と；前記読み取り動作と、前記書き込み動作と、前記表示動作とを制御する制御部６とを備え；リードライト部７は、管理情報または保守情報が保存された第２の電子カード２、３の前記管理情報または保守情報を読み取り、且つ前記電子カード管理装置４側に保存された管理情報または保守情報を第２の電子カード２、３に書き込むように構成される。
第２の電子カードによって電子カード管理装置との間で第１の電子カードの管理に関する管理情報のやり取り、管理のための保守情報のやり取りができるので、管理者、保守者を認識するための、暗証番号やコマンドをテンキーによって入力する必要がない。
電子カードとは、例えば電子乗車券（ＩＣカード）をいう。電子カードが置かれた状況とは、例えば所定のエリアから出場しようとする場合、入場しようとする場合をいう。保存された情報とは、例えば出場管理の場合は、入場した旨の情報をいう。反映する情報とは、例えば精算が済んだ旨の情報をいう。所定の情報とは、例えば差引料金をいう。管理情報とは、例えば日計データをいう。保守情報とは、例えば運賃改正の情報をいう。
【手続補正３】
【補正対象書類名】明細書
【補正対象項目名】０００８
【補正方法】変更
【補正の内容】
【０００８】
請求項２に係る発明による電子カード管理装置は、請求項１に記載の電子カード管理装置において、前記リードライト部の読み取りと書き込みとが非接触で行われるように構成される。
非接触の情報の授受は、例えば電波、レーザ光によって行われる。非接触であるので、例えば第１の電子カード、第２の電子カードを入れ物から取出す必要がなくなる。
【手続補正４】
【補正対象書類名】明細書
【補正対象項目名】０００９
【補正方法】変更
【補正の内容】
【０００９】
上記目的を達成するために、請求項３に係る発明による電子カード管理方法は、第１の電子カードから、該第１の電子カードに保存された該第１の電子カードの利用者の情報を非接触で読み取るとともに、前記第１の電子カードの置かれた状況を反映する情報を該第１の電子カードに非接触で書き込む工程と；前記読み取られた情報に基づいて、所定の情報を表示する工程と；前記読み取り動作と、前記書き込み動作と、前記表示動作を制御する工程と；管理情報または保守情報が保存された第２の電子カードの前記管理情報または保守情報を非接触で読み取り、且つ管理情報または保守情報を前記第２の電子カードに非接触で書き込む工程とを備える。
【手続補正５】
【補正対象書類名】明細書
【補正対象項目名】００１０
【補正方法】変更
【補正の内容】
【００１０】
上記目的を達成するために、請求項４に係る発明による電子カード管理装置は、図１（Ａ）に示すように、電子乗車券１、及び管理カード２を管理する電子カード管理装置４であって；電子カード管理装置４によって管理される電子乗車券１に保存された入場情報と、乗降区間情報とを読み取るとともに、精算が必要な場合に、精算が済んだ旨の情報を電子乗車券１に書き込むリードライト部７と；前記読み取られた乗降区間情報に基づいて、精算が必要な場合に精算料金を表示する表示部５と；前記読み取り動作と、前記書き込み動作と、前記表示動作とを制御する制御部６とを備え；リードライト部７は、管理カード２に保存された管理者の識別情報を読み取り、且つ電子カード管理装置４側に保存された鉄道利用者の利用情報を管理カード２に書き込むよう構成された；電子カード管理装置４。
【手続補正６】
【補正対象書類名】明細書
【補正対象項目名】００１１
【補正方法】変更
【補正の内容】
【００１１】
上記目的を達成するために、請求項５に係る発明による電子カード管理装置は、図１（Ｂ）に示すように、電子乗車券１、及び管理カード２を管理する電子カード管理装置１４であって；電子カード管理装置１４によって管理される電子乗車券１に保存された乗降区間情報を読み取るとともに、入場情報を電子乗車券１に書き込むリードライト部１７と；前記読み取られた乗降区間情報に基づいて、料金の先引きが必要な場合、先引き料金を表示する表示部１５と；前記読み取り動作と、前記書き込み動作と、前記表示動作とを制御する制御部１６とを備え；リードライト部１７は、管理カード２に保存された管理者の識別情報を読み取り、且つ電子カード管理装置１４側に保存された鉄道利用者の利用情報を管理カード２に書き込むよう構成された；電子カード管理装置１４。
【手続補正７】
【補正対象書類名】明細書
【補正対象項目名】００１２
【補正方法】変更
【補正の内容】
【００１２】
上記目的を達成するために、請求項６に係る発明による電子カード管理装置は、図１（Ａ）に示すように、請求項４に記載の電子カード管理装置において、リードライト部７が、入場情報を電子乗車券１に書き込み；表示部５が、前記読み取られた乗降区間情報に基づいて、料金の先引きが必要な場合、先引き料金を表示する。
【手続補正８】
【補正対象書類名】明細書
【補正対象項目名】００２６
【補正方法】変更
【補正の内容】
【００２６】
管理カード２、保守カード３の作用は前述の出場管理機４と同様である。
前述の入場管理機１４と出場管理機４は、一般的にどちらか一方が設置されることはなく、対になって配置される。本発明の入場管理機１４と出場管理機４によれば、入力のためのテンキーが不要となるので、安価に入出場管理ができ、無人駅または時間帯無人改札口においても入出場管理を行うことができる。入場管理機と出場管理機を別体とせず、前述の両方の機能を備えた入出場管理機としてもよい。また、電子カード管理装置は、入出場にかかわりなく一種類とし、電子カード管理装置を入場管理機とするか出場管理機とするかは、管理カードから読み取る情報あるいはプログラムにより定めることができる。